(57)【特許請求の範囲】
【請求項１】
裏機構板、錠装置、球発射装置等構成部品を備えた前枠体の背面全体を覆う筺型として、
上部に球補給パイプを挿入又は接続可能で、球補給タンクに球を補給するための球補給パイプ用接続口と、
背面には配線接続基板を設ける配線用開口と、
下部にアウト球排出路を関連接続しうるアウト球排出用開口と、
さらに、制御基板、モータ等から発生する熱を外部に放出するための放熱溝とを設け、
前記配線用開口の内面に内部配線と外部配線を接続する配線接続基板を装着した裏カバーを設け、
該裏カバーを前枠体の背面に被着したことを特徴とするパチンコ機。
【請求項２】
前記裏カバーを前枠体の一側端に開閉可能に軸支し、該裏カバーの自由端と前枠体に錠装置を設けた請求項１記載のパチンコ機。
【発明の詳細な説明】
【０００１】
【発明の属する技術分野】
この発明はパチンコ機の背面に取付けられている裏機構板、球発射装置、配線基盤等構成部品の全体を裏面カバーで覆い、遊技場内で遊技機から発生する金属粉塵などの塵埃、遊技者等から発生するたばこの煙によるヤニ等の付着を防止し、かつ不正行為の防止ができるパチンコ機に関するものである。
【０００２】
【従来の技術】
従来のパチンコ機において、パチンコ機の前枠体の背面に遊技盤の背面を覆う裏機構板にはその前面側に遊技盤の入賞口からの賞球を集合する集合路が設けられ、かつ背面側には球補給タンク、タンクレール、賞球払出しユニット、球抜き装置、入賞球処理装置が設けられ、前枠体の一側に機枠との錠装置が設けられ、かつその前枠体の下部には球発射装置等が設けられている。従来、パチンコ機に裏側を保護するカバー（通称：リアパック）は盤面中央部の制御回路のみを覆う構造とされている。
【０００３】
【発明が解決しようとする課題】
従来のパチンコ機の背面は、前記のように盤面中央部の制御回路のみがリアパックで覆われているだけで、裏機構板の背面に取り付ける球補給タンク、タンクレール、中継基板、前枠体の背面上部の外部接続端子基板、錠装置、球発射装置等はカバーされておらず、むき出し状態のままであるために、裏側から配線部分に容易に手が届き、配線に不正適合外品を取付け、不正に出玉を獲得する行為が発生したり、配線がむき出しのために、輸送などで損傷を生ずることがあり、また長期使用により、ホール内で生ずる遊技機から発生する金属粉塵などの塵埃、遊技者等から発生するたばこのヤニが付着して、タンク、タンクレールを通過するパチンコ球が汚れたり、裏機構基板の中継基板、外部接続端子基板、錠装置等の配線、基板、接続端子等電気部品にも悪影響を及ぼして問題となっている。また、背面の各種基板と外部の電源、ホール制御室の制御装置等との接続配線も煩雑になり、体裁が悪く、前枠体の開閉時等に配線がひっかかる等不都合であった。
【０００４】
この発明はこのような問題点を解消するもので、パチンコ機の前枠体の背面に全面を覆う裏カバーを装着して、裏機構板の背面に取り付ける球補給タンク、タンクレール、中継基板、前枠体の背面上部の外部接続端子基板、錠装置、球発射装置等露出している構成部品の全体をカバーでき、背面の配線に不正行為をして不正に出球を獲得する不正行為を防ぎ、それらの構成部品、配線等がヤニ等塵埃で汚れるのを防ぎ、電気部品の接続不良等を生ずることがないようにし、長期使用でも遊技機のトラブルをなくすことができるパチンコ機を提供することを目的とする。
【０００５】
また、別の目的として、裏カバーと前枠体を錠装置で鍵をかけるようにして、不正行為を完全に防止できるようにする。さらに、別の目的として、裏カバーの前記配線用開口に配線接続基板を装着し内部配線と外部配線を接続できるようにして、配線を裏カバーの開口を通して配線する必要がなく、配線接続基板に内部と外部を別個に接続して簡単に配線しうるようにする。
【０００６】
【課題を解決する手段】
この発明の請求項１のパチンコ機は、裏機構板、錠装置、球発射装置等構成部品を備えた前枠体の背面全体を覆う筺型として、
上部に球補給パイプを挿入又は接続可能で、球補給タンクに球を補給するための球補給パイプ用接続口と、
背面には配線接続基板を設ける配線用開口と、
下部にアウト球排出路を関連接続しうるアウト球排出用開口と、
さらに、制御基板、モータ等から発生する熱を外部に放出するための放熱溝とを設け、
前記配線用開口の内面に内部配線と外部配線を接続する配線接続基板を装着した裏カバーを設け、
該裏カバーを前枠体の背面に被着したことを特徴とするものである。
【０００７】
この第１の発明の構成による作用は、裏カバーでパチンコ機の背面全体を覆うことができるので、裏機構板の背面に取り付ける球補給タンク、タンクレール、中継基板、前枠体の背面上部の外部接続端子基板、錠装置、球発射装置等露出している構成部品、それらの配線のすべてが完全にカバーされ、裏面の構成部品、配線に不正適合外品を取付けるような不正行為を防止でき、また遊技機の球磨き装置、球供給樋等より発生する金属の粉塵、遊技者のたばこの煙から生ずるヤニ等が基板、配線に付着することを完全に防ぐことができ、故障がおこるのを未然に防止することができる。裏カバーの開口に設けた配線接続基板には、基板の内部に内部配線を接続し、その外部に外部配線を接続して、配線のコネクタ等を一箇所に纏めて接続、離脱ができて便利であり、パチンコ機の内部と外部を接続する配線も整然としたものとでき、前枠体の開閉に支障を生じないようにできる。放熱溝は制御基板、モータ等から発生する熱を外部に放出させる。
【０００８】
請求項２の発明は、請求項１のパチンコ機において、前記裏カバーを前枠体の一側端に開閉可能に軸支し、該裏カバーの自由端と前枠体に錠装置を設けたものである。
【０００９】
この第２の発明の構成による作用は、裏カバーと前枠体と閉じて錠装置の錠をかければ、前枠体の背面に装着される構成部品全てが裏カバーで覆われ、不正行為者が不正行為を行うことができない。また、錠装置の錠を外せば、裏カバーを前枠体より開いて、構成部品の交換、修理、調整等ができる。
【００１０】
【発明の実施の形態】
以下に、この発明の実施形態を図面に基づいて説明する。図１はこの発明のパチンコ機の裏カバーを前枠体に被着した状態の背面側斜視図、図２は裏カバーを開いた状態の斜視図、図３は機枠に対して裏カバーを被着した前枠体を収納した状態の背面側斜視図、図４は機枠に対し前枠体、裏機構板を開いた状態の斜視図、図５は機枠に収納した前枠体より裏機構板を開いた状態の斜視図である。
【００１１】
図１乃至図３において、１はパチンコ機の木製、合成樹脂製の機枠、２は合成樹脂製の額縁状の前枠体で、機枠１に開閉自由に軸支され、その前枠体２には遊技盤が備えられ、その背面を覆う裏機構板３が備えられている。裏機構板３には上部に球補給タンク４、タンクレール、右側に球抜き通路と球抜き装置、賞球払出しユニット、賞球排出通路、溢れ賞球排出通路が設けられ、かつ中央には遊技盤の背面の図柄表示器の制御基板を覆う中央カバー６が装着されている。裏機構板３の球捕球タンク４には上方の球供給樋より球分配ようの連絡パイプが設けられ、また、裏機構板の下部にアウト球排出口が設けられている。図において、前枠体背面に設ける機枠との錠装置、球発射装置、外部接続端子基板、中継基板等は省略した。
【００１２】
図１および図２において、１０は合成樹脂製の裏カバーで、裏機構板、錠装置、球発射装置等構成部品を備えた前枠体の背面全体を覆うことができるほぼ四角形の筺形として、その上部に球補給樋から各パチンコ機に球を補給する球供給パイプを挿入又は接続しうる球補給パイプ用接続口として、筒状部１１が形成され、背面には配線用開口１２が設けられ、下部にはアウト球排出用開口１３が構成されている。前記筒状部１１は裏カバー１０の開閉時に機枠１に当たらない高さとし、該筒状部に接続する球供給パイプは裏カバーの開閉時に開閉できる余裕をもたせる。この球供給パイプは筒状部に着脱可能に接続し、かつ該筒状部１１を裏機構板３の球補給タンク４の直上に臨ませ、球供給パイプから球補給タンク４へパチンコ球が補給される。裏カバー１０の背面に設けた開口１２には前枠体、および裏機構板に備える制御基板、中継基板等と外部のホール制御室の制御装置、島の制御器、パチンコ機に付設するプリペードカードユニット等を接続する配線の配線接続基板が設けられる。また、裏カバー１０の下面に設けた開口１３には前枠体、裏機構板に設けたアウト球排出路を関連接続し、アウト球を開口１３を通じて下方へ排出する。なお、実施形態では、前記裏カバー１０には上部に球供給パイプ用の筒状部を設けたが、これに限定されるものではなく、開口或いは切欠口を設けてもよく、また、配線用開口１２は一箇所に設けたが、複数箇所に設けてもよく、さらにはアウト球排出口は開口としたが、裏機構板のアウト球排出口と連通する筒体等を設けることもできる。１４は放熱溝で、制御基板、モータ等から発生する熱を外部に放出させるものである。
【００１３】
この裏カバー１０の前枠体２への取付け構造は、裏カバー１０の一側縁上下に支持部１５が設けられ、該支持部１５が前記前枠体２の一側端に設けた軸受け部２１に回動自由に軸支されている。裏カバー１０の自由端の中央部にシリンダー錠等の錠装置１６が設けられ、かつ前枠体２の背面一側に鉤止部２２が設けられている。裏カバー１０の錠装置１６の錠金具１６ａが前枠体２の鉤止部２２に止めて錠をかけるように設けられている。この裏カバー１０は錠装置１６を鍵で開閉できるようにしたので、不正行為者がパチンコ機の裏面の配線、基板に不正行為をしようとしても、全てのパチンコ機の背面が裏カバーで覆われ鍵が掛けられていれば、裏カバーを開いて配線、制御基板に不正行為を行うことは容易でなく、不正行為を防止することができる。裏カバー１０の前枠体２への開閉支持構造は上記構造に限られるものではなく、裏カバーの周囲の複数箇所を前枠体の背面周囲の取付け部に脱着可能に取着することができる。その場合も鍵を掛けるようにする。また、実施形態では、裏カバーを前枠体２に開閉自由に軸支してあるが、機枠に開閉自由に軸支することもできる。
【００１４】
図２において、前記裏カバー１０の背面の配線用開口１２には内部配線と外部配線を接続する端子接続基板１７が設けられ、機構板の内部の配線は端子接続基板１７の内部の端子に接続し、かつホール制御室の制御装置、隣接のパチンコ機など外部配線を外部の端子に接続することができる。実施形態では端子接続基板１７は裏カバー１０の開口の内面に装着してある。１８はコネクタ、１９は配線コードである。
【００１５】
この発明の構成によれば、パチンコ機の前枠体２の背面に装着された裏機構板３、錠装置、球発射装置等の全体を裏カバー１０で覆うことができるので、不正行為者がパチンコ機の裏で裏機構板３に設けられた基板の配線等に不正適合外品を取付けるのを完全に防止でき、また、裏機構板３に設けた球補給タンク４、タンクレール、中継基板、前枠体の背面上部の外部接続端子基板、錠装置、球発射装置等の構成部品が遊技機の球磨き装置、球供給樋等から生じる粉塵、遊技者のたばこの煙から生じるヤニ、塵埃が付着するのを完全に防止することができ、パチンコ機の機器のトラブルを防ぐことができる。
【００１６】
また、裏カバー１０の開口に内外の配線にコネクタ等を一括して接続できる端子接続基板１７を設けたので、裏カバーの内部においてパチンコ機の前枠体側に設けた外部端子接続基板、中継基板等の配線を内部端子に接続し、かつその外部においてホール制御室の制御装置、島の制御器、パチンコ機に付設するプリペードカードユニット等からの配線を外部端子に接続することができる。
【００１７】
以上の実施形態を示したが、この発明はこの形態に限定されるものではなく、この発明の要旨を逸脱しない範囲で、種々の形態を実施しうるものである。
【００１８】
【発明の効果】
この発明の請求項１のパチンコ機によれば、裏カバーでパチンコ機の背面全体を覆うことができるので、裏機構板の背面に取り付ける球補給タンク、タンクレール、中継基板、前枠体の背面上部の外部接続端子基板、錠装置、球発射装置等露出している構成部品、それらの配線のすべてが完全にカバーされ、裏面の構成部品、配線に不正適合外品を取付けるような不正行為を防止できる。また、遊技機の球磨き装置、球供給樋等より発生する金属の粉塵、遊技者のたばこの煙から生ずるヤニ等が基板、配線に付着することを完全に防ぐことができ、故障がおこるのを未然に防止することができる。また、前記効果のほかに、裏カバーの開口に端子接続基板を備え、基板の内部に内部配線を接続し、その外部に外部配線を接続することができ、配線のコネクタ等を一箇所に纏めて接続、離脱ができて便利であり、パチンコ機の内部と外部を接続する配線もすっきりしたものとでき、前枠体の開閉に支障を生じないようにできる。
【００１９】
請求項２の発明によれば、前記効果のほかに、裏カバーと前枠体とを錠装置で開閉できるので、裏カバーと前枠体と閉じて錠装置の錠をかければ、前枠体の背面に装着される構成部品全てが裏カバーで覆われ、不正行為者が不正行為を行うことができない。また、錠装置の錠を外せば、ホールの従業員等は裏カバーを前枠体より開いてパチンコ機背面の部品の交換、修理、調整などを行うことができる。
【図面の簡単な説明】
【図１】この発明のパチンコ機の裏カバーを前枠体に被着した状態の背面側斜視図である。
【図２】裏カバーを開いた状態の斜視図である。
【図３】機枠に対して裏カバーを被着した前枠体を収納した状態の背面側斜視図である。
【図４】機枠に対し前枠体、裏機構板を開いた状態の斜視図である。
【図５】機枠に収納した前枠体より裏機構板を開いた状態の斜視図である。
【符号の説明】
２  前枠体
３  裏機構板
１０  裏カバー
１１  筒状部
１２  開口
１３  開口
１６  錠装置
１７  端子接続基板
２２  鉤止部
【図１】
0003886657.tif 000002
【図２】
0003886657.tif 000003
【図３】
0003886657.tif 000004
【図４】
0003886657.tif 000005
【図５】
0003886657.tif 000006